(57)【要約】  本発明は、輸液ポンプ（２）に挿入するための輸液チューブクランプ（１；１０１）であり、輸液ポンプ受け領域（７；１０７）を有し、輸液チューブを締め付けるための第１のクランプ脚（８；１０８）および第２のクランプ脚（９；１０９）を備える基礎部材（６；１０６）を具備し、２つのクランプ脚（８、９；１０８、１０９）が、第１の輸液チューブクランプ端部（１２；１１２）位置で回転式に互いに連結されている、輸液チューブクランプ（１；１０１）であって、２つのクランプ脚（８、９；１０８、１０９）を相対的に２つ以上の位置（２８、２９；１２８、１２９）に確実に位置決めするためのクリック装置（１３；１１３）において優れる輸液チューブクランプ（１；１０１）に関する。
2014530076.tif 000002
【特許請求の範囲】
【請求項１】
輸液ポンプ（２）に挿入するための輸液チューブクランプ（１；１０１）であって、輸液ポンプ受け領域（７；１０７）と、輸液チューブを締め付けるための第１のクランプ脚（８；１０８）および第２のクランプ脚（９；１０９）とを備える基礎部材（６；１０６）を具備し、前記２つのクランプ脚（８、９；１０８、１０９）が、第１の輸液チューブクランプ端部（１２；１１２）位置で回転式に互いに連結されている、輸液チューブクランプ（１；１０１）において、
前記２つのクランプ脚（８、９；１０８、１０９）を相対的に２つ以上の位置（２８、２９；１２８、１２９）に確実に位置決めするためのクリック装置（１３；１１３）
を備えることを特徴とする輸液チューブクランプ（１；１０１）。
【請求項２】
前記クリック装置（１３；１１３）が、離脱不可能な移動止め要素（１４；１１４）と、離脱可能な移動止め要素（１５；１１５）とを備えることを特徴とする、請求項１に記載の輸液チューブクランプ（１；１０１）。
【請求項３】
前記クリック装置（１３；１１３）が、開放位置（２７；１２７）および締付け位置（２６；１２６）を含む作動状態（２５；１２５）を有し、前記クリック装置（１３；１１３）の少なくとも１つのクリック要素（１６；１１６）を、前記開放位置（２７；１２７）では第１の移動止め要素（１４；１１４）に係合させ、前記締付け位置（２６；１２６）では第２の移動止め要素（１５；１１５）に係合させるように配置することができることを特徴とする、請求項１または２に記載の輸液チューブクランプ（１；１０１）。
【請求項４】
前記クリック装置（１３；１１３）が、直列に連結された２つの移動止め要素（１４、１５；１１４、１１５）を備えることを特徴とする、請求項１〜３のいずれか一項に記載の輸液チューブクランプ（１；１０１）。
【請求項５】
前記クリック装置（１３；１１３）が、前記第１のクランプ脚（８；１０８）と組み合わされた少なくとも１つのクリック要素（１６；１１６）と、前記少なくとも１つのクリック要素（１６；１１６）を係合するための、前記第２のクランプ脚（９；１０９）と組み合わされた少なくとも２つの移動止め要素（１４、１５；１１４、１１５）とを備えることを特徴とする、請求項１〜４のいずれか一項に記載の輸液チューブクランプ（１；１０１）。
【請求項６】
前記クリック装置（１３；１１３）の少なくとも１つのクリック要素（１６；１１６）および少なくとも２つの移動止め要素（１４、１５；１１４、１１５）が、前記クリック装置（１３；１１３）のスナップイン時に、前記クリック要素（１６；１１６）が先ず前記２つの移動止め要素（１４、１５；１１４、１１５）の前記一方（１４、１１４）に係合し、その後、前記クリック要素（１６；１１６）が前記２つの移動止め要素（１４、１５；１１４、１１５）の前記他方（１５；１１５）に係合可能になるように、相対的に配置されていることを特徴とする、請求項１〜５のいずれか一項に記載の輸液チューブクランプ（１；１０１）。
【請求項７】
前記２つの移動止め要素（１４、１５；１１４、１１５）の１つが、前記輸液ポンプ（２）の輸液チューブクランプ作動のアクチュエータ用の作動面を有し、特に、前記２つの移動止め要素（１４、１５；１１４、１１５）の前記第２の要素（１５；１１５）が、前記２つの移動止め要素（１４、１５；１１４、１１５）の前記第１の要素（１４；１１４）より大きく撓めるように構成されていることを特徴とする、請求項１〜６のいずれか一項に記載の輸液チューブクランプ（１；１０１）。
【請求項８】
前記輸液チューブクランプ（１；１０１）が、少なくとも１つの作動状態（２５；１２５）において、半径方向に全側面を閉じられ、前記２つのクランプ脚（８、９；１０８、１０９）の長手延在方向（３４；１３４）に対して横向きに配置されたチューブ案内方向（３５、１３５）を有するチューブ案内空間（３３；１３３）を有することを特徴とする、請求項１〜７のいずれか一項に記載の輸液チューブクランプ（１；１０１）。
【請求項９】
前記輸液チューブクランプ（１；１０１）が、輸液ポンプロッキングバー（４）用の作動側面（１５０）を備えることを特徴とする、請求項１〜８のいずれか一項に記載の輸液チューブクランプ（１；１０１）。
【請求項１０】
輸液ポンプ（２）において輸液チューブクランプ（１；１０１）を使用する方法であって、前記輸液チューブクランプ（１；１０１）の第１のクランプ脚（８；１０８）と第２のクランプ脚（９；１０９）とが、互いに近付くように輸液チューブクランプ端部領域（１２；１１２）周りに回転させられ、それによって輸液チューブを締め付けることができる方法において、クリック装置（１３；１１３）が、少なくとも１つのクリック要素（１６；１１６）によって第１の移動止め要素（１４；１１４）と第１のスナップイン位置（２８；１２８）に係合し、その第１のスナップイン位置では、前記輸液チューブが前記２つのクランプ脚（８、９；１０８、１０９）間に保持されること、および、前記クリック装置（１３；１１３）が、前記少なくとも１つのクリック要素（１６；１１６）または別のクリック要素によって第２の移動止め要素（１５；１１５）と第２のスナップイン位置（２９；１２９）に係合し、その第２のスナップイン位置では、前記輸液チューブが締め付けられることを特徴とする方法。
【請求項１１】
前記輸液チューブを再開放するために、前記第２の移動止め要素（１５；１１５）を撓ませ、それによって、前記クリック装置（１３、１１３）が前記第２のスナップイン位置（２９；１２９）から前記第１のスナップイン位置（２８；１２８）へ戻ることを特徴とする、請求項１０に記載の方法。
【請求項１２】
前記チューブ側に配置された、輸液チューブクランプ（１；１０１）用の座部（１１）であって、前記チューブ側輸液チューブクランプ（１；１０１）を作動させるアクチュエータを備える座部（１１）を具備する輸液ポンプ（２）において、
請求項１〜９のいずれか一項に記載の輸液チューブクランプ（１；１０１）
を備えることを特徴とする輸液ポンプ（２）。
【発明の詳細な説明】
【技術分野】
【０００１】
本発明は、一方で、輸液ポンプに挿入される輸液チューブクランプであって、輸液ポンプ受け領域を有し、第１のクランプ脚および第２のクランプ脚を備える基礎部材を具備し、それら２つのクランプ脚が第１の輸液チューブクランプ端部で回転式に互いに連結されている、輸液チューブクランプに関する。
【０００２】
他方で、本発明は、輸液ポンプでの輸液チューブクランプの使用法に関し、その場合、輸液チューブクランプの第１のクランプ脚と第２のクランプ脚とが、輸液チューブクランプ端部周りに回転して近付き、その結果、この態様で輸液チューブを締め付けることができる。
【０００３】
さらに、本発明は、チューブ側に配置された、輸液チューブクランプ用の座部を備える輸液ポンプに関する。
【背景技術】
【０００４】
特に、一般的なチューブ側スナップまたは安全クランプは、ＦＦＣ（ｆｒｅｅ  ｆｌｏｗ  ｃｌａｍｐ：自由流れクランプ）とも呼ばれるが、従来技術によって様々な形態で知られている。輸液セットの範囲では、それらクランプは、既に、輸液チューブに頻繁に設けられており、その場合、それらは、輸液チューブを通る点滴流体の流れを可能にするかまたは止めることを目的としている。これは、該当する輸液ポンプへの装着前または装着後の両方の状態に関わり、また輸液ポンプへ装着中の状態にも関わる。通常、チューブ側の安全クランプまたはＦＦＣは、装着前後には閉止され、一方、たとえば輸液管理に関わる輸液ポンプの作動状態に応じて、自動的に開放することができる。ＦＦＣを備える輸液チューブを挿入するために、輸液チューブ案内および特に適切なＦＦＣ座部にそれによってアクセスできるように、ほぼいつでも輸液ポンプのポンプフラップが開かれる。
【０００５】
一般に、そのようなチューブ側ＦＦＣは、輸液ポンプのポンプフラップを手動で操作することによって通常積極的に制御され、あるいは、ポンプフラップの開放または閉鎖時に自動的に閉止され、それによって、輸液流体が輸液チューブを通って不用意に流れるのを防止する。この場合、ポンプフラップを正しく閉鎖することができるには、先ず、チューブ側安全クランプを手動で閉止しなければならないようにすることが必要な場合もある。他方で、チューブ側ＦＦＣが、挿入中に既に閉止されているが、ポンプフラップを閉鎖すると即座に再解放されるケースもしばしばある。ポンプフラップを閉鎖した後閉止されたチューブ側ＦＦＣを、輸液ポンプのアクチュエータによって、ポンプ作動のために自動的に再開放することもできる。そのようなオン機能または開放機能を有する輸液ポンプとは別に、チューブ側ＦＦＣを閉止するために、対応するオフ機能または閉止機能用にさらに別のアクチュエータを有する輸液ポンプがさらに存在する。さらに、そのようなチューブ側ＦＦＣとは別に、オンおよびオフ機能を作動させる装置クランプをさらに有する輸液ポンプが、従来技術に存在する。輸液チューブ内部の輸液流体流れを確実に高信頼度で停止することを可能にするために、大部分のチューブ側ＦＦＣは未だかなり複雑になり、あるいは、輸液ポンプに追加の装置クランプが必要になる。
【発明の概要】
【発明が解決しようとする課題】
【０００６】
本発明の目的は、特に一般的な輸液チューブクランプをさらに発展させ、それによって、輸液チューブを備える適切な輸液セットの製造、および輸液ポンプでのその種輸液チューブクランプの使用を共に、実質的により容易かつより確実にすることである。
【課題を解決するための手段】
【０００７】
本発明の目的は、輸液ポンプに挿入するための輸液チューブクランプであり、輸液ポンプ受け領域を有し、第１のクランプ脚および第２のクランプ脚を備える基礎部材を具備し、２つのクランプ脚が、第１の輸液チューブクランプ端部位置で回転式に互いに連結されている、輸液チューブクランプであって、２つのクランプ脚を相対的に２つ以上の位置に確実に位置決めするためのクリック装置において優れる輸液チューブクランプによって達成される。
【０００８】
有利には、本輸液チューブクランプは、クリック装置によって、少なくとも２つの異なるスナップイン位置で確実に保持することができる。
【０００９】
本発明によれば、用語「クリック装置」は、２つのクランプ脚を様々な相対位置にそれによって保持または配置することができる全ての装置を表す。
【００１０】
有利には、クリック装置は、離脱不可能な移動止め要素および離脱可能な移動止め要素を備え、少なくとも１つのクリック要素が、離脱不可能な移動止め要素では第１の方向に１度だけ通過することができ、少なくとも１つのクリック要素が、離脱可能な移動止め要素では第１の方向および第１の方向と対向する第２の方向の両方に通過することができる。
【００１１】
用語「離脱可能な移動止め要素」は、以後にさらに示されるように、クリック要素に対して、「離脱不可能な移動止め要素」に関するより大きく撓むことができる移動止め要素を表し、その結果、クリック要素は、離脱可能な移動止め要素を２方向に通過することができる。
【００１２】
２つのクランプ脚は、第１の輸液チューブクランプ端部において理想的には分離できないように相互に連結されている。有利には、本輸液チューブクランプは、一体の射出成型部品として製造される。
【００１３】
本輸液チューブクランプは、本発明に従ってチューブ側に配置され、それにより、輸液ポンプ側に装着される装置クランプとは異なる。ただし、本チューブ側輸液チューブクランプは、輸液ポンプに挿入するのに適合し、したがって、輸液チューブクランプを対応する輸液ポンプ側座部にそれによって配置することができる輸液ポンプ受け領域を備える。この点で、本輸液チューブクランプは他のチューブクランプとは異なる。
【００１４】
輸液ポンプに有利に用いられるために、輸液チューブクランプは、好ましくは、輸液ポンプロッキングバー用の作動側面を有する。
【００１５】
このタイプの輸液ポンプは、好ましくは、可撓チューブポンプである。一般的な輸液ポンプは、従来技術から周知であるので、より詳細には以降説明されない。
【００１６】
輸液チューブクランプは、有利には、２つのクランプ脚が、好ましくは、第１の輸液チューブクランプ端部において一方の側のみで不可分に相互に連結している製造状態を有する。クリック装置の側では、２つのクランプ脚は未だ相互に連結されておらず、したがって、輸液チューブを、極めて簡単な手順によって、輸液チューブクランプまたは輸液チューブの締付け手段に挿入することができる。したがって、輸液チューブクランプに輸液チューブをもっと複雑に通す必要がなくなり、それによって、特に、輸液セットを実質的により容易な態様で製造し実現することができる。
【００１７】
好ましい構成の変形形態によって、クリック装置が、特に輸液チューブを締め付ける締付け手段の開放位置を有する作動状態、および、特に輸液チューブを締め付ける締付け手段の締付け位置を有する作動状態それぞれを含み、その場合、クリック装置の少なくとも１つのクリック要素を、開放状態では第１の移動止め要素に、締付け位置では第２の移動止め要素に係合させるように配置することができる。
【００１８】
さらに、２つの移動止め要素が、直列に連結するように、第２のクランプ脚に配置されていると有利である。このようにして、特に、クリック装置を形成する高さを小さく保つことができる。用語「直列に」は、本発明による２つのクランプ脚が動く方向に関する。
【００１９】
好ましくは、スペースの関係で、一方の移動止め要素が、常に、他方の移動止め要素より第１のクランプ脚に近接して配置される。
【００２０】
最も単純な場合には、締付け手段は、２本の単なるロッド形状のクランプ脚から構成することができる。好ましくは、締付け手段は、第１のクランプ脚に締付け縁を、第２のクランプ脚に締付け縁支持台を備え、締付け手段は、スナップフィットの第１のスナップイン位置では未だ開放されており、または再開放され、スナップフィットのさらに別の少なくとも１つのスナップイン位置では閉じられる。
【００２１】
クリック装置は様々な構成を有し得ることを理解されたい。たとえば、クリック装置の第１のクリック要素が、第１のクランプ脚に設けられ、対応する、クリック装置の移動止め要素が、第２のクランプ脚に設けられ、他方、クリック装置のさらに別のクリック要素が、第２のクランプ脚に配置され、対応する、クリック装置のさらに別の移動止め要素が、第１のクランプ脚に配置される。
【００２２】
ただし、クリック装置が、第１のクランプ脚と組み合わせた少なくとも１つのクリック要素と、その少なくとも１つのクリック要素に係合するための、第２のクランプ脚と組み合わせた少なくとも２つのクリック要素とを備えるとき、輸液チューブクランプの設計が、特に簡単かつ省スペースな態様で実現され得る。
【００２３】
有利には、クリック装置が、第１の輸液チューブクランプ端部から離隔した領域に配置され、それによって、クリック装置と第１の輸液チューブクランプ端部との間に、確実に機能する輸液チューブの締付けおよび案内機構を設計する十分なスペースが確保される。
【００２４】
クリック装置を閉じるとき、クリック要素が先ず２つの移動止め要素の一方に係合し、その後、クリック要素が２つの移動止め要素の他方に係合することができるように、クリック装置の少なくとも１つのクリック要素および少なくとも２つの移動止め要素が、相対的に配置されていると、組立てに関して、本輸液チューブクランプがより容易になり得る。
【００２５】
さらに、本発明の目的は、また、輸液ポンプにおいて輸液チューブクランプを使用する方法であって、輸液チューブクランプの第１のクランプ脚と第２のクランプ脚とが、互いに近付くように輸液チューブクランプ端部部分周りに回転させられ、その結果、その態様で輸液チューブを締め付けることができる方法において、クリック装置が、少なくとも１つのクリック要素によって第１の移動止め要素と第１のスナップイン位置に係合し、その第１のスナップイン位置では、輸液チューブが２つのクランプ脚間に保持されること、および、クリック装置が、上記少なくとも１つのクリック要素または別のクリック要素によって第２の移動止め要素と第２のスナップイン位置に係合し、その第２のスナップイン位置では、輸液チューブが締め付けられることにおいてさらに優れる方法によっても達成される。
【００２６】
有利には、クリック装置は、輸液チューブが、２つのクランプ脚の長手延在方向に対して好ましくは横向きに輸液チューブクランプに挿入されると直ぐに第１のスナップイン位置に移行する。それによって、輸液チューブが輸液チューブクランプによって半径方向に全側面を取り囲まれるので、クリック装置は、取付けヒンジを直接実現する。その結果、輸液チューブクランプは、輸液チューブまたは輸液チューブクランプ自体を破壊しない限り、決して輸液チューブから取り外すことができない。
【００２７】
この点で、輸液チューブクランプが、少なくとも作動状態において、２つのクランプ脚の長手延在方向に対して横向きに配置されたチューブ案内方向を有する、半径方向に全側面を封鎖されたチューブ案内を備えると有利である。
【００２８】
理想的には、クリック装置は、輸液ポンプに正しく挿入されると直ぐに、第２のスナップイン位置に移行される。これにより、患者が輸液チューブに既に接続されている場合、患者に点滴溶液を不用意に供給する危険性が排除される。
【００２９】
好ましい方法の変形形態では、第２の移動止め要素が、輸液チューブを再開放するために好ましくは撓められ、その結果、クリック装置が第２のスナップイン位置から第１のスナップイン位置に戻る。
【００３０】
したがって、該当する締付け手段を開放するために、輸液チューブクランプの第２の移動止め要素を撓ませ、それによって、既に第２の移動止め要素に係合されているクリック要素が解放される。
【００３１】
２つの移動止め要素の１つを撓ませまたは解放することに関し、２つの移動止め要素の１つが、輸液ポンプの輸液チューブクランプを作動させるアクチュエータ用の作動面を有すると有利であり、その場合、特に、２つの移動止め要素の第２のものが、２つの移動止め要素の第１のものより大きく撓めるように構成されている。
【００３２】
本発明の別の態様によれば、本発明の目的は、また、チューブ側に配置された輸液チューブクランプ用の座部であってチューブ側輸液チューブクランプを作動させるアクチュエータを備える座部を具備する輸液ポンプによって達成される。輸液ポンプは、本明細書に記載された特徴の任意のものに則る輸液チューブクランプにおいて優れ、それは、その輸液ポンプが、従来一般的であった設計より簡単な設計を有し得るからである。
【００３３】
特に、それは、実質的に単に、本輸液チューブクランプを受入れるために適切に構成された座部、さらに言えば、輸液チューブクランプの輸液ポンプ受け領域用の座部を要件とする。
【００３４】
有利には、本輸液チューブクランプに基づいて、新世代の輸液ポンプ、ならびに対応する拡充構成要素および対応する付属品を設けることができる。
【００３５】
輸液チューブクランプは、理想的には、一体型に設計され、離脱不可能な移動止め要素と離脱可能な移動止め要素とを有する。輸液ポンプのポンプフラップを手動で閉じまたはロックすることによって、輸液チューブクランプが閉止される。離脱可能な移動止め要素を撓ませると、輸液チューブクランプが閉止位置から開放位置へ変化する。ポンプ側アクチュエータの助けを得て、ポンプフラップが閉じられているときにのみ、輸液チューブクランプの離脱可能な移動止め要素を撓ませることができる。そのとき、輸液チューブクランプが開く。ポンプフラップを手動でロック解除することによって、ポンプフラップが開かれる前に、輸液チューブクランプが閉止される。輸液チューブクランプは、有利には、もはや通路または輸液チューブ上に通す必要はなく、単にクリップ留めされる。
【００３６】
さらに、本発明によって、実質的に、下記のさらに別の利点が生じる。
・自由流れの防止が、チューブ側（セットベースの）ＦＦＣを介して完全に達成される。
・装置側ＦＦＣは必要とされない。
・手動ロック式ポンプフラップを開閉するとき、ＦＦＣが、機械的能動制御を介して常に閉止される。→安全機構
・ポンプ作動に際して、輸液ポンプが、起動されることによってチューブ側ＦＦＣを開く。
・アクチュエータによる閉止は必要とされない。
・輸液ポンプ側アクチュエータは、オン機能のみを有する。
・輸液ポンプは、ＦＦＣが正しく挿入されない限り始動することができないことが輸液ポンプ自体によって保証される。→安全機構
・ＦＦＣなしに輸液セットを使用することは不可能である。→安全機構
・チューブ側ＦＦＣは一体構造を有する。
・通す代わりにクリップ留めすることによって、製造中の組立てが容易である。
・望まれていない操作を防止するために、ＦＦＣは、たとえば離脱不可能な移動止め要素を破壊することなどによってチューブまたはＦＦＣ自体を損傷することなく、取り外すことはできない。→安全機構
【００３７】
本発明のさらに別の利点、目標、および特徴が、本発明による輸液チューブクランプが例示され記載されている添付図面および以下の記述によって説明される。
【図面の簡単な説明】
【００３８】
【図１】単一のクリック要素および輸液ポンプに配置された２つの移動止め要素を備えるクリック装置を具備する輸液チューブクランプの第１の実施形態の概略図である。
【００３９】
【図２】締付け位置に関わる第１の作動状態にある、図１の輸液チューブクランプの概略図である。
【００４０】
【図３】開放位置に関わる別の作動状態にある、図１および２の輸液チューブクランプのさらに別の概略図である。
【００４１】
【図４】製造状態における、別の輸液チューブクランプの第２の実施形態の概略図である。
【００４２】
【図５】開放位置に関わる第１の作動状態にある、図４の輸液チューブクランプの別の概略図である。
【００４３】
【図６】締付け位置に関わる別の作動状態にある、図４および５の輸液チューブクランプの概略図である。
【発明を実施するための形態】
【００４４】
図１に示される輸液チューブクランプ１は、この実施形態では、開放式ポンプフラップ３を有する輸液ポンプ２内に縦に配置されている。ポンプフラップ３のロッキングバー４が、ポンプフラップ３に設けられ、ポンプフラップ３は、輸液ポンプ２の回転式捕捉部５の周りに回動する。
【００４５】
輸液チューブクランプ１（特に図２および３参照）は、輸液ポンプ受け領域７を有し、第１のクランプ脚８ならびに第２のクランプ脚９を備える基礎部材６を具備する。
【００４６】
輸液ポンプ受け領域７は、第２のクランプ脚９の背側１０に設けられ、それにより、輸液チューブクランプ１が、輸液ポンプ２の適切に構成された座部１１に、正確に適合して取り付けることができる。
【００４７】
輸液チューブクランプ１は、一体構造を有し、２つのクランプ脚８および９は、第１の輸液チューブクランプ端部１２においてタブ１２Ａによって、不可分であるが摺動するように相互に連結されている。
【００４８】
輸液チューブクランプ１は、２つのクランプ脚８および９を２つ以上の相対位置に確実に配置するクリック装置１３においてさらに優れ、そのために、クリック装置１３は、クリック装置１３のクリック要素１６に任意選択で係合させることができる、離脱不可能な第１の移動止め要素１４および離脱可能な第２の移動止め要素１５（図３参照）を備える。
【００４９】
２つの移動止め要素１４および１５は第２のクランプ脚９に構成されている一方で、この実施形態でのクリック要素１６は、直接第１のクランプ脚８によって実現されている。
【００５０】
第１の移動止め要素１４は、第２のクランプ脚９から垂直に延出し、スロットを切られた頭部領域１８を有するオフセットウェブ１７によって形成される。第１の移動止め要素１４の領域において、クリック要素１６が、母材の陥凹１９を有し、それを通してオフセットウェブ１７が配置され、その結果、クリック要素１６が第１の移動止め要素１４に離脱不可能に係合する。
【００５１】
第２の移動止め要素１５は、クリック要素１６の頭部側２２に配置された、撓み方向２０に撓むことができる移動止め捕捉部２１である。２つのクランプ脚８と９とが、さらに互いに向かって動くと、クリック要素１６が可撓性移動止め捕捉部２１をさらに通過することができ、輸液チューブクランプ１が輸液チューブを締め付ける。
【００５２】
図２および３の表すところによれば、輸液チューブクランプ１が、締付け位置２６（図２）および開放位置２７（図３）に関して作動状態２５で示されている。
【００５３】
開放位置２７では、クリック要素１６は、２つのクランプ脚８および９の第１のスナップイン位置２８に従って、第１の移動止め要素１４において係合する。クリック要素１６がオフセット頭部領域１８に当接し、２つのクランプ脚８および９は、タブ１２Ａによって加えられるばね力によって互いに離れる傾向にある。
【００５４】
締付け位置２６では、クリック要素１６は、２つのクランプ脚８および９の第２のスナップイン位置２９に従って、第２の移動止め要素１５において係合し、その結果、輸液チューブが、ここでは図示されていないが、締付け手段３０によって締め上げられる。
【００５５】
締付け手段３０は、第１のクランプ脚８でのクランプ縁３１および第２のクランプ脚９でのクランプ縁支持台３２を形づくる。
【００５６】
さらに、輸液チューブクランプ１は、実質的に２つのクランプ脚８、９、タブ１２Ａ、およびクリック要素１３の第１の移動止め要素１４によって実質的に構成される、半径方向に全側面を閉じられたチューブ案内空間３３を備える。チューブ案内方向３５は、２つのクランプ脚８および９の長手延在方向３４に対して横向きに延在する。
【００５７】
図４〜６に示される輸液チューブクランプ１０１のさらに別の実施形態は、基礎部材１０６を、第１のクランプ脚１０８、第２のクランプ脚１０９、ならびに輸液ポンプ受け領域１０７を備える射出成型部として具備する。
【００５８】
２つのクランプ脚１０８および１０９は、第１の輸液チューブクランプ端部１１２において弾性タブ１１２Ａによって、固定態様で回転式に互いに連結されている。
【００５９】
図４の表すところによれば、輸液チューブクランプ１０１が、製造状態１４０で展開されて示され、クリック装置１１３は、２つの移動止め要素１１４および１１５のいずれにおいても、そのクリック要素１１６に未だ係合されていない。この点で、輸液チューブ（ここに図示されず）は、未だ開放されている輸液チューブクランプ１０１のチューブ案内チャンバ１３３に、２つのクランプ脚１０８および１０９の長手延在方向１３４に対して横向きに延在するチューブ案内方向１３５に、容易に挿入することができる。
【００６０】
第１の移動止め要素１１４は、クリック装置１１６に離脱不可能に係合できるように構成され、第２の移動止め要素１１５は、クリック装置１１６に離脱可能に係合できるように構成されており、第１の移動止め要素１１４は、撓むことのないように、または極めて僅かしか撓むことのないように、十分に頑丈な設計を有する。
【００６１】
そこで、クリック装置１１３は、移動止め要素１１４および１１５の他に、２つの移動止め要素１１４および１１５に対応するように適合されたクリック要素１１６をさらに備える。第１のクランプ脚１０８の端部１４１において、クリック要素１１６が、そこからほぼ縦に突出し、スナップ捕捉部１４２を備え、そのスナップ捕捉部１４２によって、そのクリック要素１１６が、対応する移動止め要素１１４および１１５にそれぞれスナップまたは係合することができる。この場合、クリック要素１１６は、対応する移動止め要素１１４および１１５において、それぞれ、より容易にスナップ捕捉部１４２に係合するように適合されるべく、少なくとも十分な弾性を有する。
【００６２】
図５および６の表すところによれば、輸液チューブクランプ１０１が作動状態１２５で示されている。
【００６３】
この場合、輸液チューブクランプ１０１は、クリック要素１１６が第１の移動止め要素１１４に係合されている開放位置１２７（図５参照）にある。そのとき、輸液チューブクランプ１０１は第１のスナップイン位置１２８を示す。
【００６４】
他方で、クリック要素１１６が第２の移動止め要素１１５に係合されている場合、輸液チューブクランプ１０１は、締付け位置１２６（図６参照）に設定され、そのとき、輸液チューブクランプ１０１ならびに２つのクランプ脚１０８および１０９それぞれは第２のスナップイン位置１２９をとる。
【００６５】
輸液チューブクランプ１０１は、締付け縁１３１および締付け縁支持台１３２を有する締付け手段１３０を備える。
【００６６】
さらに、第１のクランプ脚１０８に、輸液ポンプロッキングバー（図１、参照番号４参照）用の作動側面１５０が設けられている。
【００６７】
上記に例示された実施形態は、本発明による輸液チューブクランプの単に主要な構成であることを理解されたい。その限りにおいて、本発明の構成は、これらの実施形態に限定されない。
【００６８】
本出願文書に開示された全ての特徴は、個々にまたは組合せのいずれであっても従来技術に対して新規であれば、本発明にとって本質的であると主張される。
【符号の説明】
【００６９】
１  輸液チューブクランプ
２  輸液ポンプ
３  ポンプフラップ
４  ロッキングバー
５  回転式捕捉部
６  基礎部材
７  輸液ポンプ受け領域
８  第１のクランプ脚
９  第２のクランプ脚
１０  背側
１１  座部
１２  第１の輸液チューブクランプ端部
１２Ａ  タブ
１３  クリック装置
１４  離脱不可能な第１の移動止め要素
１５  離脱可能な第２の移動止め要素
１６  クリック要素
１７  オフセットウェブ
１８  スロットを切られた頭部領域
１９  母材の陥凹
２０  撓み方向
２１  可撓性移動止め捕捉部
２２  頭部側
２５  作動状態
２６  締付け位置
２７  開放位置
２８  第１のスナップイン位置
２９  第２のスナップイン位置
３０  締付け手段
３１  締付け縁
３２  締付け縁支持台
３３  チューブ案内空間
３４  長手延在方向
３５  チューブ案内方向
１０１  輸液チューブクランプ
１０６  基礎部材
１０７  輸液ポンプ受け領域
１０８  第１のクランプ脚
１０９  第２のクランプ脚
１１２  第１の輸液チューブクランプ端部
１１２Ａ  タブ
１１３  クリック装置
１１４  離脱不可能な第１の移動止め要素
１１５  離脱可能な第２の移動止め要素
１１６  クリック要素
１２５  作動状態
１２６  締付け位置
１２７  開放位置
１２８  第１のスナップイン位置
１２９  第２のスナップイン位置
１３０  締付け手段
１３１  締付け縁
１３２  締付け縁支持台
１３３  チューブ案内空間
１３４  長手延在方向
１３５  チューブ案内方向
１４０  製造状態
１４１  端部
１４２  スナップ捕捉部
１５０  作動側面
【図１】
2014530076.tif 000003
【図２】
2014530076.tif 000004
【図３】
2014530076.tif 000005
【図４】
2014530076.tif 000006
【図５】
2014530076.tif 000007
【図６】
2014530076.tif 000008
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
輸液ポンプ（２）に挿入するための輸液チューブクランプ（１；１０１）であって、輸液ポンプ受け領域（７；１０７）と、輸液チューブを締め付けるための第１のクランプ脚（８；１０８）および第２のクランプ脚（９；１０９）とを備える基礎部材（６；１０６）を具備し、前記２つのクランプ脚（８、９；１０８、１０９）が、第１の輸液チューブクランプ端部（１２；１１２）位置で回転式に互いに連結されている、輸液チューブクランプ（１；１０１）において、
前記２つのクランプ脚（８、９；１０８、１０９）を相対的に２つ以上の位置（２８、２９；１２８、１２９）に確実に位置決めするためのクリック装置（１３；１１３）
を備え、
前記クリック装置（１３；１１３）が、少なくとも１つのクリック要素（１６；１１６）と、離脱不可能な移動止め要素（１４；１１４）と、離脱可能な移動止め要素（１５；１１５）とを備え、
離脱不可能な前記移動止め要素（１４；１１４）が、少なくとも１つの前記クリック要素（１６；１１６）により、第１の方向に１度だけ通過することができ、離脱可能な前記移動止め要素（１５；１１５）が、少なくとも１つの前記クリック要素（１６；１１６）により、前記第１の方向および前記第１の方向と対向する第２の方向の両方に通過することができることを特徴とする輸液チューブクランプ（１；１０１）。
【請求項２】
前記クリック装置（１３；１１３）が、開放位置（２７；１２７）および締付け位置（２６；１２６）を含む作動状態（２５；１２５）を有し、前記クリック装置（１３；１１３）の少なくとも１つのクリック要素（１６；１１６）を、前記開放位置（２７；１２７）では第１の移動止め要素（１４；１１４）に係合させ、前記締付け位置（２６；１２６）では第２の移動止め要素（１５；１１５）に係合させるように配置することができることを特徴とする、請求項１に記載の輸液チューブクランプ（１；１０１）。
【請求項３】
２つの前記移動止め要素（１４、１５；１１４、１１５）が、直列に連結されていることを特徴とする、請求項１または２に記載の輸液チューブクランプ（１；１０１）。
【請求項４】
少なくとも１つの前記クリック要素（１６；１１６）が、前記第１のクランプ脚（８；１０８）に配置され、
前記第１および第２の移動止め要素（１４、１５；１１４、１１５）が、前記少なくとも１つのクリック要素（１６；１１６）を係合するための前記第２のクランプ脚（９；１０９）に配置されていることを特徴とする、請求項１から３のいずれか一項に記載の輸液チューブクランプ（１；１０１）。
【請求項５】
前記クリック装置（１３；１１３）の少なくとも１つの前記クリック要素（１６；１１６）および前記第１および第２の移動止め要素（１４、１５；１１４、１１５）が、前記クリック装置（１３；１１３）のスナップイン時に、前記クリック要素（１６；１１６）が先ず前記２つの移動止め要素（１４、１５；１１４、１１５）の前記一方（１４、１１４）に係合し、その後、前記クリック要素（１６；１１６）が前記２つの移動止め要素（１４、１５；１１４、１１５）の前記他方（１５；１１５）に係合可能になるように、相対的に配置されていることを特徴とする、請求項１から４のいずれか一項に記載の輸液チューブクランプ（１；１０１）。
【請求項６】
前記２つの移動止め要素（１４、１５；１１４、１１５）の１つが、前記輸液ポンプ（２）の輸液チューブクランプ作動のアクチュエータ用の作動面を有し、特に、前記２つの移動止め要素（１４、１５；１１４、１１５）の前記第２の要素（１５；１１５）が、前記２つの移動止め要素（１４、１５；１１４、１１５）の前記第１の要素（１４；１１４）より大きく撓めるように構成されていることを特徴とする、請求項１から５のいずれか一項に記載の輸液チューブクランプ（１；１０１）。
【請求項７】
前記輸液チューブクランプ（１；１０１）が、少なくとも１つの作動状態（２５；１２５）において、半径方向に全側面を閉じられ、前記２つのクランプ脚（８、９；１０８、１０９）の長手延在方向（３４；１３４）に対して横向きに配置されたチューブ案内方向（３５、１３５）を有するチューブ案内空間（３３；１３３）を有することを特徴とする、請求項１から６のいずれか一項に記載の輸液チューブクランプ（１；１０１）。
【請求項８】
前記輸液チューブクランプ（１；１０１）が、輸液ポンプロッキングバー（４）用の作動側面（１５０）を備えることを特徴とする、請求項１から７のいずれか一項に記載の輸液チューブクランプ（１；１０１）。
【請求項９】
輸液ポンプ（２）において輸液チューブクランプ（１；１０１）を使用する方法であって、前記輸液チューブクランプ（１；１０１）の第１のクランプ脚（８；１０８）と第２のクランプ脚（９；１０９）とが、互いに近付くように輸液チューブクランプ端部領域（１２；１１２）周りに回転させられ、それによって輸液チューブを締め付けることができる方法において、クリック装置（１３；１１３）が、少なくとも１つのクリック要素（１６；１１６）によって離脱可能な第１の移動止め要素（１４；１１４）と第１のスナップイン位置（２８；１２８）に係合し、その第１のスナップイン位置では、前記輸液チューブが前記２つのクランプ脚（８、９；１０８、１０９）間に保持されること、および、前記クリック装置（１３；１１３）が、前記少なくとも１つのクリック要素（１６；１１６）または別のクリック要素によって離脱不可能な第２の移動止め要素（１５；１１５）と第２のスナップイン位置（２９；１２９）に係合し、その第２のスナップイン位置では、前記輸液チューブが締め付けられ、
離脱不可能な前記移動止め要素（１４；１１４）が、少なくとも１つの前記クリック要素（１６；１１６）により、第１の方向に１度だけ通過することができ、離脱可能な前記移動止め要素（１５；１１５）が、少なくとも１つの前記クリック要素（１６；１１６）により、前記第１の方向および前記第１の方向と対向する第２の方向の両方に通過することができることを特徴とする方法。
【請求項１０】
前記輸液チューブを再開放するために、前記第２の移動止め要素（１５；１１５）を撓ませ、それによって、前記クリック装置（１３、１１３）が前記第２のスナップイン位置（２９；１２９）から前記第１のスナップイン位置（２８；１２８）へ戻ることを特徴とする、請求項９に記載の方法。
【請求項１１】
前記チューブ側に配置された、輸液チューブクランプ（１；１０１）用の座部（１１）であって、前記チューブ側輸液チューブクランプ（１；１０１）を作動させるアクチュエータを備える座部（１１）を具備する輸液ポンプ（２）において、
請求項１から８のいずれか一項に記載の輸液チューブクランプ（１；１０１）
を備えることを特徴とする輸液ポンプ（２）。
【国際調査報告】
2014530076.tif 000009
2014530076.tif 000010
2014530076.tif 000011
2014530076.tif 000012
2014530076.tif 000013
2014530076.tif 000014
2014530076.tif 000015
2014530076.tif 000016
2014530076.tif 000017
2014530076.tif 000018